(57)【要約】【課題】  簡単な構成で微妙な位置調整を行うことが可能なピアノ用ペダルを提供する。【解決手段】  ペダル４ａは、略長尺状の部材をその長手方向に２つに分断してなる第１ペダル部４０及び第２ペダル部４２と、第１ペダル部４０の一端と第２ペダル部４２の一端とを連結する連結部材５０とからなる。第１ペダル部４０は、第２ペダル部４２よりも演奏者とは反対側に配置されると共に、ピアノの底板２に設けられた支持部材３により、ピアノの鍵の並び方向に略平行な揺動軸５回りに揺動可能に支持される。連結部材５０は、第２ペダル部４２を、第１ペダル部４０に対して、揺動軸５に略平行な回転軸５２回りに回転可能に支持すると共に、第２ペダル部４２の演奏者による踏込面４４と第１ペダル部４０とのなす角度が任意の角度となるように、第２ペダル部４２を第１ペダル部４０に対して位置決め可能に構成される。【選択図】図２
2007298562.tif 000002
【特許請求の範囲】
【請求項１】
ピアノの底部に演奏者により踏込可能に設けられたピアノ用ペダルであって、
当該ピアノ用ペダルは、略長尺状の部材をその長手方向に２つに分断してなる第１ペダル部及び第２ペダル部と、前記第１ペダル部の一端と前記第２ペダル部の一端とを連結する連結部材と、からなり、
前記第１ペダル部は、前記第２ペダル部よりも前記演奏者とは反対側に配置されると共に、前記底部に設けられた支持部材により、前記ピアノの鍵の並び方向に略平行な揺動軸回りに揺動可能に支持され、
前記連結部材は、前記第２ペダル部を、前記第１ペダル部に対して、前記揺動軸に略平行な回転軸回りに回転可能に支持すると共に、前記第２ペダル部の前記演奏者による踏込面と前記第１ペダル部とのなす角度が任意の角度となるように、前記第２ペダル部を前記第１ペダル部に対して位置決め可能に構成されていることを特徴とするピアノ用ペダル。
【請求項２】
前記連結部材は、一端に雄ネジが形成され、他端に頭部が形成されたボルトからなり、
前記第１ペダル部と前記第２ペダル部とのうち、一方のペダル部には、他方のペダル部に向かって突出した凸部が形成されると共に、他方のペダル部には、前記凸部側の端部に、前記凸部と嵌合可能な凹部が形成され、
前記凸部及び前記凹部には、前記連結部材を挿通するための孔が、前記回転軸に沿って形成され、
更に、前記凹部に形成された孔の一方には、前記連結部材の雄ネジに螺合可能な雌ネジが形成されていることを特徴とする請求項１に記載のピアノ用ペダル。
【請求項３】
前記連結部材は、断面円形の２本の棒材からなり、
前記第１ペダル部と前記第２ペダル部とのうち、一方のペダル部には、他方のペダル部に向かって突出した凸部が形成されると共に、他方のペダル部には、前記凸部側の端部に、前記凸部と嵌合可能な凹部が形成され、
更に、前記凸部及び前記凹部には、前記２本の棒材のうちの一方を挿通するための第１棒材用挿通孔が、前記回転軸に沿って形成されており、
前記凸部及び前記凹部のうち、一方には、前記第１棒材用挿通孔から所定距離だけ離れた位置に、前記２本の棒材のうちの他方を挿通するための第２棒材用挿通孔が形成されると共に、他方には、前記第１棒材用挿通孔を中心として、前記第１棒材挿通孔と前記第２棒材挿通孔との間の距離を半径とする同心円上に、前記第２棒材用挿通孔が複数形成されていることを特徴とする請求項１に記載のピアノ用ペダル。
【請求項４】
前記凸部と前記凹部との対向面同士は、前記回転軸を中心として円弧状に形成されていることを特徴とする請求項２又は請求項３に記載のピアノ用ペダル。
【発明の詳細な説明】
【技術分野】
【０００１】
本発明は、ピアノの底部に演奏者により踏込可能に設けられたピアノ用ペダルに関する。
【背景技術】
【０００２】
従来より、ピアノの底部には、打弦音を長く響かせたり打弦音を通常よりも弱めたりする等して演奏効果を高めるためのペダルが、踏込可能に設けられている。
そして、この種のペダルは、略長尺状の部材からなり、ピアノの演奏者側に向かって延設されると共に、ピアノの底部に設けられた支持部材によって、ピアノの鍵の並び方向に略平行な揺動軸回りに揺動可能に支持されている（例えば、特許文献１参照）。
【特許文献１】特開２００１−４２８５９号公報
【発明の開示】
【発明が解決しようとする課題】
【０００３】
ところで、演奏者は、ピアノの演奏時に、ペダルに足を載せ、必要に応じてペダルを踏み込むのであるが、その踏み込み方やペダルへの足の載せ方は、演奏者によってそれぞれ異なる。
【０００４】
そこで、従来では、椅子の位置や高さを変えて、ペダルに載せる足の位置を調節することでペダルの位置調整を行うようにしていたのであるが、ペダルは、演奏者の踏込動作に応じて単に揺動するだけであるため、微妙な位置調整を行うことはできなかった。
【０００５】
本発明は、こうした問題を解決するためになされたものであり、簡単な構成で微妙な位置調整を行うことが可能なピアノ用ペダルを提供することを目的としている。
【課題を解決するための手段】
【０００６】
上記目的を達成するためになされた請求項１に記載の発明は、ピアノの底部に演奏者により踏込可能に設けられたピアノ用ペダルであって、当該ピアノ用ペダルは、略長尺状の部材をその長手方向に２つに分断してなる第１ペダル部及び第２ペダル部と、第１ペダル部の一端と第２ペダル部の一端とを連結する連結部材と、からなり、第１ペダル部は、第２ペダル部よりも演奏者とは反対側に配置されると共に、底部に設けられた支持部材により、ピアノの鍵の並び方向に略平行な揺動軸回りに揺動可能に支持され、連結部材は、第２ペダル部を、第１ペダル部に対して、揺動軸に略平行な回転軸回りに回転可能に支持すると共に、第２ペダル部の演奏者による踏込面と第１ペダル部とのなす角度が任意の角度となるように、第２ペダル部を第１ペダル部に対して位置決め可能に構成されていることを特徴としている。
【０００７】
以上のような請求項１に記載のピアノ用ペダルによれば、第２ペダル部を、第１ペダル部に対して回転軸回りに回転させ、任意の位置で、連結部材により第２ペダル部を第１ペダル部に位置決め固定するだけで、第２ペダル部の演奏者による踏込面と第１ペダル部とのなす角度を微調整することができる。
【０００８】
よって、請求項１に記載のピアノ用ペダルによれば、簡単な構成で、微妙な位置調整を行うことができ、演奏者は、快適にピアノを演奏することができる。
ところで、請求項１に記載のピアノ用ペダルにおいては、連結部材によって、第２ペダルが第１ペダル部に連結されるように構成されていればよく、例えば、請求項２に記載のように構成されていてもよいし、請求項３に記載のように構成されていてもよい。
【０００９】
即ち、まず請求項２に記載のピアノ用ペダルにおいては、連結部材が、一端に雄ネジが形成され、他端に頭部が形成されたボルトからなり、第１ペダル部と第２ペダル部とのうち、一方のペダル部には、他方のペダル部に向かって突出した凸部が形成されると共に、他方のペダル部には、凸部側の端部に、凸部と嵌合可能な凹部が形成され、凸部及び凹部には、連結部材を挿通するための孔が、回転軸に沿って形成され、更に、凹部に形成された孔の一方には、連結部材の雄ネジに螺合可能な雌ネジが形成されている。
【００１０】
このような請求項２に記載のピアノ用ペダルによれば、第１ペダル部に対する第２ペダル部の位置決めを連続的に行うことができるので、演奏者は、より細かな微調整を行うことができる。
【００１１】
次に、請求項３に記載のピアノ用ペダルにおいては、連結部材が、断面円形の２本の棒材からなり、第１ペダル部と第２ペダル部とのうち、一方のペダル部には、他方のペダル部に向かって突出した凸部が形成されると共に、他方のペダル部には、凸部側の端部に、凸部と嵌合可能な凹部が形成され、更に、凸部及び凹部には、２本の棒材のうちの一方を挿通するための第１棒材用挿通孔が回転軸に沿って形成されており、凸部及び凹部のうち、一方には、第１棒材用挿通孔から所定距離だけ離れた位置に、２本の棒材のうちの他方を挿通するための第２棒材用挿通孔が形成されると共に、他方には、第１棒材用挿通孔を中心として、第１棒材挿通孔と第２棒材挿通孔との間の距離を半径とする同心円上に、第２棒材用挿通孔が複数形成されている。
【００１２】
このような請求項３に記載のピアノ用ペダルによれば、２本の棒材を利用して第２ペダル部を第１ペダル部に固定することで、第１ペダル部に対する第２ペダル部の位置決めを段階的に行うことができる。
【００１３】
また更に、請求項３に記載のピアノ用ペダルによれば、２本の棒材の２点で第２ペダル部を第１ペダル部に固定するため、第１ペダル部に対する第２ペダル部の位置決めを行う際に、第１ペダル部に対して第２ペダル部を強固に固定することができる。
【００１４】
ところで、請求項２又は請求項３に記載のピアノ用ペダルにおいては、凸部における凹部との対向面と、凹部における凸部との対向面との間隔を、第２ペダル部が第１ペダル部に対して回転軸回りに回転可能となる程度空ける必要があるが、例えば凸部と凹部との対向面同士が平面状に形成されていた場合には、凹部と凸部との間隔（詳しくは、凸部における凹部との対向面と、凹部における凸部との対向面との間隔）が大きくなってしまい、ピアノ用ペダルの美観を損ねてしまう。
【００１５】
そこで、請求項２又は請求項３に記載に記載のピアノ用ペダルは、請求項４に記載のように、凸部と凹部との対向面同士を、回転軸を中心として円弧状に形成するとよい。
このようにすれば、凸部と凹部との間隔を最小限にすることができるので、ピアノ用ペダルの美観を損なうことなく、ピアノ用ペダルを構成することができる。
【発明を実施するための最良の形態】
【００１６】
以下に、本発明が適用された実施形態のアップライトピアノのペダル装置について、図面を用いて説明する。
まず図１は、第１実施形態のペダル装置を表す斜視図である。
【００１７】
第１実施形態のペダル装置は、アップライトピアノの演奏効果を高めるために、アップライトピアノの底板２側に設けられるものであり、図１に示すように、ピアノの底板２に踏込可能に設けられた３つのペダル４ａ〜４ｃを備えている。
【００１８】
ペダル４ａ〜４ｃは、ピアノの鍵の並び方向（演奏者から見て左右方向）に並んで配置されており、これらのうち、演奏者から見て真ん中のペダル４ｂ（所謂マフラーペダル）には、演奏者によるペダル４ｂの踏込動作をピアノのアクション機構（図示省略）に伝達するための突揚棒６ｂが接続されている。
【００１９】
一方、演奏者から見て左側のペダル（所謂ソフトペダル）４ａには、底板２の上側で揺動可能に配置された長尺状の天秤軸８ａの一端側が、連結棒１０ａを介して接続されており、演奏者から見て右側のペダル（所謂ラウドペダル）４ｃには、底板２の上側で揺動可能に配置された長尺状の天秤軸８ｂの一端側が、連結棒１０ｂを介して接続されている。
【００２０】
天秤軸８ａは、演奏者によるペダル４ａの踏込動作を、ペダル４ａとは反対側の端部に取り付けられた突揚棒６ａを介して、アクション機構に伝達するためのものであり、底板２に設けられた支持機構２０ａによって揺動可能に支持されている。また、天秤軸８ａには、ペダル４ａと支持機構２０ａとの間に、一端が底板２に接続されたバネ３０ａの他端が接続されている。
【００２１】
天秤軸８ｂは、演奏者によるペダル４ｃの踏込動作を、ペダル４ｃとは反対側の端部に取り付けられた突揚棒６ｃを介して、アクション機構に伝達するためのものであり、底板２に設けられた支持機構２０ｂによって揺動可能に支持されている。また、天秤軸８ｂには、ペダル４ｃと支持機構２０ｂとの間に、一端が底板２に接続されたバネ３０ｂの他端が接続されている。
【００２２】
なお、突揚棒６ａは、ペダル４ａが踏み込まれると、図示しないハンマーレールを押し上げてハンマー全体を弦に近づけるようにされている。また、突揚棒６ｂは、ワイヤーを介してハンマーの上側に配置されたフェルト又はクロス等の緩衝部材に接続されており、この緩衝部材は、ペダル４ｂが踏まれると、突揚棒６ｂの上昇動作に応じて、弦とハンマーとの間に垂れ下がるようにされている。また、突揚棒６ｃは、ダンパーロッドに接続されており、このダンパーロッドは、ペダル４ｃが踏み込まれると、突揚棒６ｃの上昇動作に応じて、ダンパーを弦から離すようにされている。
【００２３】
次に、本発明の主要部分であるペダル４ａ〜４ｃの構成について、図２を用いて説明する。なお、図２は、ペダル４ａ〜４ｃの構成を説明する説明図である。
図２に示すように、ペダル４ａは、例えば真鍮からなる略長尺状の部材をその長手方向に２つに分断してなる第１ペダル部４０及び第２ペダル部４２と、第１ペダル部４０の一端と第２ペダル部４２の一端とを連結する連結部材５０と、からなる。
【００２４】
連結部材５０は、第２ペダル部４２を、第１ペダル部４０に対して、ピアノの鍵の並び方向に略平行な回転軸５２（図１参照）回りに回転可能に支持すると共に、第２ペダル部４２の演奏者による踏込面４４と第１ペダル部４０とのなす角度が任意の角度となるように、第２ペダル部４２を第１ペダル部４０に対して位置決めするためのものであり、一端に雄ネジ５０ａが形成され、他端に頭部５０ｂが形成されたボルトからなる。
【００２５】
第１ペダル部４０は、底板２に設けられた支持部材３（図１参照）により、ピアノの鍵の並び方向に略平行な揺動軸５（図１参照）回りに揺動可能に支持されている。
また、第１ペダル部４０の揺動軸５とは反対側の端部には、演奏者側に向かって突出した凸部４６が形成されており、その凸部４６には、連結部材５０を挿通するための孔４６ａが、回転軸５２に沿って形成されている。
【００２６】
また、第１ペダル部４０（詳しくは、凸部４６）における第２ペダル部４２との対向面４０ａ，４０ｂ，４０ｃは、回転軸５２を中心として円弧状に形成されている。
一方、第２ペダル部４２は、第１ペダル部４０よりも演奏者側に配置され、第１ペダル部４０側の端部に、第１ペダル部４０の凸部４６と嵌合可能な凹部４８が形成されている。
【００２７】
そして、第２ペダル部４２の凹部４８は、連結部材５０により第１ペダル部４０に位置決めされた状態の第２ペダル部４２が、回転軸５２回りに容易に回転してしまわないように、凸部４６に対して隙間なく嵌合可能に構成されている。
【００２８】
また、第２ペダル部４２の凹部４８の両側には、連結部材５０を挿通するための孔４８ａ，４８ｂが、回転軸５２に沿って形成されている。
また、第２ペダル部４２の凹部４８の両側に形成された孔４８ａ，４８ｂの一方には、連結部材５０の雄ネジ５０ａに螺合可能な雌ネジ４８ｃが形成されている。
【００２９】
また、第２ペダル部４２（詳しくは、凹部４８）における第１ペダル部４０との対向面４２ａ，４２ｂ，４２ｃは、回転軸５２を中心として円弧状に形成されている。
なお、本実施形態において、ペダル４ｂ，４ｃは、ペダル４ａと同じ構成であり、後述する組立手順も同じであるため、詳細な説明は省略する。
【００３０】
次に、本実施形態のペダル４ａ〜４ｃの組立手順について説明する。
本第１実施形態のペダル４ａ〜４ｃにおいては、例えば、まず第１ペダル部４０の凸部４６を第２ペダル部４２の凹部４８に嵌合させ、連結部材５０を、スプリングワッシャ５４、凹部４８の片側に形成された孔（雌ネジ４８ｃが形成されていない方の孔）４８ａ、凸部４６に形成された孔４６ａを介して、雌ネジ４８ｃが形成された孔４８ｂに挿通して締め付ける、といった手順で組み立てることができる。
【００３１】
そして、このとき、図３（ａ），（ｂ）に示すように、第２ペダル部４２を、第１ペダル部４０に対して回転軸５２回りに回転させ、任意の位置で、連結部材５０により第２ペダル部４２を第１ペダル部４０に位置決め固定するだけで、第２ペダル部４２の演奏者による踏込面４４と第１ペダル部４０とのなす角度を微調整することができる。
【００３２】
よって、本実施形態によれば、簡単な構成で、微妙な位置調整を行うことができ、演奏者は、快適にピアノを演奏することができる。
また、本実施形態によれば、第１ペダル部４０に対する第２ペダル部４２の位置決めを連続的に行うことができるので、演奏者は、より細かな微調整を行うことができる。
【００３３】
また、本実施形態によれば、凸部４６と凹部４８との間隔（詳しくは、第１ペダル部４０の面４０ａ，４０ｂ，４０ｃと、第２ペダル部４２の面４２ａ，４２ｂ，４２ｃとの間隔）を最小限にすることができるので、ペダル４ａ〜４ｃの美観を損なうことなく、ペダル４ａ〜４ｃを構成することができる。
【００３４】
次に、第２実施形態のペダル装置について、図４及び図５を用いて説明する。なお、図４は、第２実施形態のペダル４ａ〜４ｃの構成を説明する説明図であり、図５は、第２実施形態のペダル４ａ〜４ｃの第１ペダル部４０に対する第２ペダル部４２の位置決めを説明する説明図である。また、図４及び図５において、第１実施形態のペダル４ａ〜４ｃと同様の構成要素については、同じ符号を付しているため、詳細な説明は省略する。また、以下のペダル４ａ〜４ｃの構成の説明では、ペダル４ａについて説明するが、上記第１実施形態と同様に、ペダル４ｂ，４ｃの構成はペダル４ａと同じであるため、詳細な説明は省略する。
【００３５】
第２実施形態のペダル４ａ〜４ｃは、第１実施形態のペダル４ａ〜４ｃと比較すると、ペダル４ａ〜４ｃの位置調整を段階的に行うようにされている。
具体的に説明すると、第２実施形態のペダル４ａは、連結部材５０に代えて、断面円形の２本のピン６０，６２からなる。
【００３６】
そして、第１ペダル部４０の凸部４６には、孔４６ａを中心として、所定の長さだけ離れた距離ｒを半径とする同心円上に、回転軸５２に平行な３つの孔４６ｂ，４６ｃ，４６ｄが形成されている。
【００３７】
また、第２ペダル部４２の凹部４８の両側には、孔４８ａから演奏者とは反対側に距離ｒだけ離れた位置に、回転軸５２に平行な軸に沿って、孔４８ｄ，４８ｅが形成されている。
【００３８】
以上のような第２実施形態のペダル４ａ〜４ｃにおいては、例えば、まず第１ペダル部４０の凸部４６を第２ペダル部４２の凹部４８に嵌合させ、ピン６０を、孔４８ａ、孔４６ａを介して、孔４８ｂに挿通すると共に、ピン６２を、孔４８ｄ、孔４６ｃを介して、孔４８ｅに挿通する、といった手順で組み立てることができる。
【００３９】
そして、ピン６２を、第１ペダル部４０及び第２ペダル部４２に取り付ける際には、図３（ａ），（ｂ）に示すように、第２ペダル部４２を、第１ペダル部４０に対して回転軸５２回りに回転させてから、孔４６ｂ〜４６ｄの何れかを選択して、その選択した孔４６ｂ〜４６ｄの位置にピン６２を挿通することで、第２ペダル部４２を段階的に第１ペダル部４０に位置決め固定することができ、第２ペダル部４２の演奏者による踏込面４４と第１ペダル部４０とのなす角度を微調整することができる。
【００４０】
よって、本第２実施形態によっても、上述した第１実施形態と同様の効果を得ることができる。
また、第２実施形態によれば、ピン６０とピン６２との２点で第２ペダル部４２を第１ペダル部４０に固定するため、第１ペダル部４０に対する第２ペダル部４２の位置決めを行う際に、第１ペダル部４０に対して第２ペダル部４２を強固に固定することができる。
【００４１】
なお、本第２実施形態では、孔４６ａ、及び、孔４８ａ，４８ｂが、第１棒材用挿通孔に相当し、孔４６ｂ，４６ｃ，４６ｄ、及び、孔４８ｄ，４８ｅが、第２棒材用挿通孔に相当している。また、ピン６０，６２が棒材に相当している。
【００４２】
以上、本発明の実施形態について説明したが、本発明は、種々の形態を採り得ることは言うまでもない。
例えば、第１実施形態における孔４６ａ，４８ａ，４８ｂの形状を六角形状に形成し、連結部材５０を、六角柱状の棒材にて構成するようにしてもよい。
【００４３】
このようにすれば、第２ペダル部４２を段階的に第１ペダル部４０に位置決め固定することができる。
また、連結部材５０（第２実施形態では、ピン６０，６２）を、第１ペダル部４０及び第２ペダル部４２に取り付ける際に、ナイロンワッシャを介して取り付けるようにしてもよい。
【００４４】
このようにすれば、雑音が発生してしまうのを抑制することができる。
また、上記第１実施形態では、連結部材５０を第１ペダル部４０及び第２ペダル部４２に取り付ける際に、スプリングワッシャ５４、孔４８ａ、孔４６ａを介して、孔４８ｂに挿通して締め付けるものとして説明したが、これに限らず、凹部４６と凸部４８との間にスプリングワッシャ５４を配置して連結部材５０を取り付けるようにしてもよい。
【００４５】
例えば、連結部材５０を、孔４８ａ、スプリングワッシャ５４、孔４６ａ、スプリングワッシャ５４を介して、孔４８ｂに挿通して締め付けることで、連結部材５０を第１ペダル部４０及び第２ペダル部４２に取り付ける。
【００４６】
このようにすれば、第２ペダル部４２を第１ペダル部４０に対して強固に取り付けることができるので、第１ペダル部４０に対して位置決めされた状態の第２ペダル部４２が回転軸５２回りに回転してしまうのを、より確実に防止することができる。
【００４７】
また、凸部４６及び凹部４８における回転軸５２と直交する面を、凹凸状に形成してもよい。
このようにすれば、凸部４６及び凹部４８における回転軸５２と直交する面同士が凹凸状に形成されているので、第１ペダル部４０に対して位置決めされた状態の第２ペダル部４２が回転軸５２回りに回転してしまうのを、より確実に防止することができる。
【００４８】
また、上記第１実施形態では、第２ペダル部４２の凹部４８の孔４８ｂに雌ネジ４８ｃを形成するようにしていたが、雌ネジ４８ｃを形成せずに、連結部材５０の雄ネジ５０ａに螺合可能なナットを用いて、第１ペダル部４０に対する第２ペダル部４２の位置決めを行うようにしてもよい。
【００４９】
また、上記実施形態では、本発明をアップライトピアノに適用したものを説明したが、これに限らず、ペダルを備えたピアノ（例えば、グランドピアノや電子ピアノ）であればどれに適用してもよい。
【００５０】
また、上記実施形態では、第１ペダル部４０に凸部４６を形成し、第２ペダル部４２に凹部４８を形成していたが、第１ペダル部４０に凹部４８を形成し、第２ペダル部４２に凸部４６を形成するようにしてもよい。
【図面の簡単な説明】
【００５１】
【図１】第１実施形態のペダル装置を表す斜視図である。
【図２】第１実施形態のペダルの構成を説明する説明図である。
【図３】第１実施形態の第１ペダル部に対する第２ペダル部の位置決めを説明する説明図である。
【図４】第２実施形態のペダルの構成を説明する説明図である。
【図５】第２実施形態の第１ペダル部に対する第２ペダル部の位置決めを説明する説明図である。
【符号の説明】
【００５２】
２…底板、３…支持部材、４ａ〜４ｃ…ペダル、５…揺動軸、６ａ〜６ｃ…突揚棒、８ａ，８ｂ…天秤軸、１０ａ，１０ｂ…連結棒、２０ａ，２０ｂ…支持機構、３０ａ，３０ｂ…バネ、４０…第１ペダル部、４２…第２ペダル部、４４…踏込面、４６…凸部、４６ａ〜４６ｄ…孔、４８…凹部、４８ａ，４８ｂ，４８ｄ，４８ｅ…孔、４８ｃ…雌ネジ、５０…連結部材、５０ａ…雄ネジ、５０ｂ…頭部、５２…回転軸、５４…スプリングワッシャ、６０，６２…ピン。
【図１】
2007298562.tif 000003
【図２】
2007298562.tif 000004
【図３】
2007298562.tif 000005
【図４】
2007298562.tif 000006
【図５】
2007298562.tif 000007